(57)【要約】【課題】十分な強度を有し、煩雑な施工工程を経ず、且つ、意匠性に優れた壁面となる棚構造を提供する。【解決手段】水平部３と垂直部２とからなるＬ字型またはＴ字型の平板部分と、水平部３の上端から水平方向に伸びる棚板固定片４とを有するブラケット１を用い、垂直部２を壁面内の縦桟１１の側面に取り付け、水平部３のみを室内に露出させ、棚板固定片４に棚板１４を載せて固定する。【選択図】図２
2009106340.tif 000002
【特許請求の範囲】
【請求項１】
ブラケットを介して室内壁に棚板を取り付けた棚構造であって、
上記ブラケットがＬ字型またはＴ字型で、
上記ブラケットのＬ字またはＴ字の垂直部を壁体内に納めたことを特徴とする棚構造。
【請求項２】
上記ブラケットが、水平方向に幅を有する垂直部と鉛直方向に幅を有する水平部とを有するＬ字型またはＴ字型の平板部分を少なくとも有し、
上記垂直部が壁体内の縦桟の壁面に対して直交する側面に固定され、
上記水平部の頂部が棚板を支えてなる請求項１に記載の棚構造。
【請求項３】
上記ブラケットが、平板の一部を折り曲げてなる、上記水平部の上端から水平方向に伸びる棚板固定片を有し、
上記棚板固定片の上面が棚板を支えてなる請求項２に記載の棚構造。
【請求項４】
水平方向に幅を有する垂直部と鉛直方向に幅を有する水平部とを有するＬ字型またはＴ字型の平板部分と、平板の一部を折り曲げてなる、上記水平部の上端から水平方向に延びる棚板固定片とを有し、上記垂直部と棚板固定片とにそれぞれビス孔を有することを特徴とするブラケット。
【発明の詳細な説明】
【技術分野】
【０００１】
本発明は、住宅等の建築物の屋内壁に設ける棚構造と、該棚構造に用いるブラケットに関する。
【背景技術】
【０００２】
従来、建築物の屋内壁に棚構造を設ける場合、長尺の平板を長さ方向の途中で直角方向に折り曲げて断面が逆Ｌ字型となるように形成したブラケットの、垂直部を壁面にビス等により固定し、水平部の頂部に棚板を載せて下方よりビス等により固定する方法が一般的であった。
【０００３】
しかしながら、ブラケットが折り曲げによって逆Ｌ字型に形成されており、水平部を壁面に当ててビスや釘等の取り付け部材を壁面に直行する方向に取り付けて固定しているため、棚板や棚板上に載せた物品の重みが、ブラケットのＬ字の直角が狭くなる方向、及び、取り付け部材が前方に向かって抜ける方向にかかる。そのため、棚板や棚板上に載せた物品が重すぎる場合には、経時的にブラケットの変形や取り付け部材の脱落が起こりやすく、強度に問題があった。また、ブラケットにはリブを形成するなどして強度を高めていたが、係るリブの形成工程が煩雑であった。
【０００４】
特許文献１には、段板の一端を壁体内に埋め込んで壁パネルの芯材に取り付けることにより、側板を用いることなく十分な強度を確保した上で外観に優れた段板設置構造が開示されている。
【０００５】
【特許文献１】特開２００３−１７６６０９号公報
【発明の開示】
【発明が解決しようとする課題】
【０００６】
しかしながら、特許文献１に開示された構造は、取り付け強度を確保するために、壁体内の下地の加工や棚板の加工が必要であり、施工性が良くない。
【０００７】
本発明の目的は、従来よりも重い物品を載せうる十分な強度を有し、煩雑な施工工程を経ず、且つ、意匠性に優れた壁面となる棚構造を提供することにある。
【課題を解決するための手段】
【０００８】
本発明の第１は、ブラケットを介して室内壁に棚板を取り付けた棚構造であって、
上記ブラケットがＬ字型またはＴ字型で、
上記ブラケットのＬ字またはＴ字の垂直部を壁体内に納めたことを特徴とする。
【０００９】
本発明の棚構造においては、
上記ブラケットが、水平方向に幅を有する垂直部と鉛直方向に幅を有する水平部とを有するＬ字型またはＴ字型の平板部分を少なくとも有し、
上記垂直部が壁体内の縦桟の壁面に対して直交する側面に固定され、
上記水平部の頂部が棚板を支えてなること、さらには、
上記ブラケットが、平板の一部を折り曲げてなる、上記水平部の上端から水平方向に伸びる棚板固定片を有し、
上記棚板固定片の上面が棚板を支えてなること、
を好ましい態様として含む。
【００１０】
本発明の第２は、水平方向に幅を有する垂直部と鉛直方向に幅を有する水平部とを有するＬ字型またはＴ字型の平板部分と、平板の一部を折り曲げてなる、上記水平部の上端から水平方向に延びる棚板固定片とを有し、上記垂直部と棚板固定片とにそれぞれビス孔を有することを特徴とするブラケットである。
【発明の効果】
【００１１】
本発明においては、ブラケットの垂直部が壁体内に納められ、室内に露出する部分がブラケットの水平部のみであるため、該ブラケットの露出部分が目立たず、意匠性に優れた壁面となる。
【００１２】
また、壁体内に垂直部を取り付けることから、垂直部を壁面に直行する平板とすることができ、結果として水平部と垂直部とを連続した平板とすることができる。よって、垂直部の縦桟への取り付けに際しては、ビスや釘等の取り付け部材を壁面に平行な方向に取り付けることになり、棚板や棚板上の物品の重みによる取り付け部材の脱落がなく、また、垂直部と水平部とが折り曲げで形成されていないことと併せて、強度が向上し、従来よりも重い物品を棚板上に載せることが可能となる。また、ブラケットに補強用のリブを形成する必要がなく、ブラケットの作製が容易になる。
【発明を実施するための最良の形態】
【００１３】
以下に本発明の棚構造と、該棚構造に用いる本発明のブラケットについて、好ましい実施形態を挙げて説明する。
【００１４】
図１は、本発明の棚構造に用いられる好ましいブラケットの一例である。図中、１はブラケット、２は垂直部、３は水平部、４は棚板固定片である。
【００１５】
本例のブラケットは、基本的に垂直部と水平部とを有するＬ字型であり、取り付け後の形態は逆Ｌ字型である。そして、好ましくは、図１に示すように、垂直部２が水平方向に幅を有し、水平部３が垂直方向に幅を有し、垂直部２と水平部３とが互いに連続する平板である。尚、本発明においては、係る垂直部２と水平部３とを合わせて平板部分と呼ぶ。
【００１６】
さらに本発明において好ましいブラケット１は、図１に示すように水平部３の上端から水平方向に延びる棚板固定片４を備え、垂直部２と棚板固定片４にはそれぞれビス孔２ａ、４ａが形成されている。棚板固定片４は、平板の一部を折り曲げることによって形成されている。即ち、水平部３と棚板固定片４とは連続した平板から形成され、該平板において棚板固定片４を水平部３の上端となる位置で直角に折り曲げることにより、水平部３に対して直交する方向に上面を有するように加工する。かかるブラケット１は、金属板などを用いて形成され、必要に応じて塗装等を施す。
【００１７】
図１のブラケット１を用いた棚構造の、壁面に直交する垂直方向断面模式図を図２に示す。図中、１１は壁体内の縦桟、１２は横桟、１３ａ、１３ｂは壁パネル、１４は棚板である。
【００１８】
図２に示すように、本発明の棚構造においては、逆Ｌ字型のブラケット１の垂直部２を壁体内の縦桟１１に固定する。この時、図２に示すように、垂直部２と水平部３とが連続した平板であることにより、垂直部２を壁面に対して直交する方向で縦桟１１の側面に取り付けることができる。その結果、ビス２ｂは壁面に平行な方向に縦桟１１に取り付けられる。棚板１４及び棚板１４上に載せられた物品の重量は、水平部４の自由端（紙面左端）側を下方に押し下げる方向に働くため、従来のように、垂直部を壁面に当ててビスを壁面に直交して取り付けた形態では、ビスが壁面から抜ける方向に上記棚板及び物品の重量がかかるが、本発明においては、ビス２ｂが壁面に平行に取り付けられているため、棚板１４及び物品の重量がビス２ｂが抜ける方向（壁面に平行な方向）にはかからない。
【００１９】
また、垂直部２と水平部３とが連続した平板であり、折り曲げによって逆Ｌ字型に形成されているのではないため、水平部３の自由端が下方に下がって逆Ｌ字の直角が狭くなるような変形が生じにくい。
【００２０】
即ち、ブラケット１の強度及び垂直部２の取り付け強度が従来の折り曲げで逆Ｌ字型としたブラケットに比べて大幅に向上する。
【００２１】
本例においては、水平部３の上端から水平方向に延びる棚板固定片４上に棚板１４を載せ、該棚板固定片４に設けたビス孔４ａを利用してビス４ｂを棚板１４に取り付けているが、棚板１４と該棚板１４上に載せる物品の重量は、該棚板固定片４だけでなく、水平部３の頂部でも支持し、且つ、水平部３は垂直方向に平行な平板で垂直方向には折り曲がりにくいため、従来よりも重い棚板１４や物品に対応することが可能である。
【００２２】
本発明の棚構造においては、ブラケット１の垂直部２を壁体内に納めてしまうため、水平部３のみが露出することになり、壁面の意匠性が向上する。特に、本例の如く棚板１４を棚板固定片４に取り付ける場合には、水平部３によって側面側（ブラケット１の逆Ｌ字に相対する側）からはビス４ｂが見えなくなってしまうため、非常に美観に優れたものとなる。また、本発明の棚構造においては、ブラケット１に逆Ｌ字型の平板部分を持たせることで十分な強度が得られるため、ブラケット１にリブなどの補強用の部位を形成する必要がなく、安価に作製することができ、ブラケット１の外観も凹凸がなく簡素で意匠性に優れたものとなる。
【００２３】
次に、本発明の棚構造の施工工程について図２〜図６を用いて説明する。図３は断面模式図、図４〜図６は斜視図であり、図４は図３（ａ）に、図５は図３（ｂ）に、図６は図２に該当する。
【００２４】
先ず、棚板１４に対して一対のブラケット１を、壁体内となる下地の縦桟１１に取り付ける。本例においては、ブラケット１が互いに連続する平板の垂直部２と水平部３とを有し、垂直部２が水平方向に幅を有しているため、縦桟１１の、壁面に直行する側面に垂直部２を当接し、ビス孔２ａを介してビス２ａを取り付けて垂直部２を縦桟１１に固定する。一対のブラケット１，１で棚板固定片４，４は互いに対向するように配置する〔図３（ａ）、図４〕。
【００２５】
次に、棚板１４ａの垂直方向断面に相当する部分を開けて、壁面パネル１３ａ〜１３ｄを取り付ける。図５中の１４ａが後工程で棚板１４の端部が嵌合される開口部１４ａであり、壁パネル１３ａ、１３ｃ、１３ｄに対応する切り欠きを設けて形成されている。また、水平部３は壁パネル１３ｃと１３ｂとの境界に位置するようにブラケット１の取り付け位置を調整するか、或いは、隣接する壁パネルの境界がブラケット１を挟むように壁パネルの位置を調整するか、壁パネルを切断加工することによって、容易に挟み込むことができる。尚、隣接する壁パネル間に挟み込んだ場合に、ブラケット１の厚みによって壁パネル間に隙間ができるなどの不都合を生じる場合には、壁パネルの一方、或いは両方の端部にブラケット１の厚みに相当する切り欠きを設けて対応すればよい。本例においては、壁パネル１３ｃ、１３ｄにそれぞれ、ブラケット１の水平部３に相当する切り欠きが設けてある〔図３（ｂ）、図５〕。
【００２６】
棚板１４をブラケット１の棚板固定片４上に載せて壁面に向かってスライドさせ、壁パネル１３ａ〜１３ｄに形成した開口部１４ａに棚板１４の取り付け側端部を差し込み、棚板固定片４に設けたビス孔４ａを介してビス４ｂを取り付けて棚板１４を棚板固定片４に固定する。これにより本発明の棚構造が完成する〔図２，図６〕。
【００２７】
尚、上記実施形態においては、ブラケット１の垂直部２と水平部３が取り付け後に逆Ｌ字型となるが、垂直部の下方に水平部が位置するＬ字型となるように取り付ける形態でも良い。また、垂直部の中央に水平部を設けたＴ字型（即ち、壁に取り付けた状態では横向きのＴ字型）のブラケットとしても良い。本発明においては、棚の取付位置によってこれらのブラケットを使い分ければよい。
【００２８】
また、上記実施形態においては、ブラケット１の垂直部２を縦桟１１に、棚板１４を棚板固定片４にそれぞれ固定するための取り付け部材としてビス２ａ、４ｂを用いた形態を示したが、本発明はこれに限定されるものではなく、取り付け部材として釘などを用いてもかまわない。
【産業上の利用可能性】
【００２９】
本発明は住宅等建築物の室内壁の装飾用の棚構造に関するが、これに限定されるものではなく、同様の構造形態であれば建築工事全般に応用することができる。
【図面の簡単な説明】
【００３０】
【図１】本発明のブラケットの好ましい実施形態の斜視図である。
【図２】図１のブラケットを用いた本発明の棚構造の断面模式図である。
【図３】図２の棚構造の施工工程を示す断面模式図である。
【図４】図２の棚構造の施工工程を示す斜視図である。
【図５】図２の棚構造の施工工程を示す斜視図である。
【図６】図２の棚構造の斜視図である。
【符号の説明】
【００３１】
１  ブラケット
２  垂直部
２ａ  ビス孔
２ｂ  ビス
３  水平部
４  棚板固定片
４ａ  ビス孔
４ｂ  ビス
１１  縦桟
１２  横桟
１３ａ〜１３ｄ  壁パネル
１４  棚板
１４ａ  開口部
【図１】
2009106340.tif 000003
【図２】
2009106340.tif 000004
【図３】
2009106340.tif 000005
【図４】
2009106340.tif 000006
【図５】
2009106340.tif 000007
【図６】
2009106340.tif 000008